(57)【要約】【課題】光源から入射した光を所要方向へ導く板状導光体を備えた灯具において、板状導光体の前面および後面が上記所要方向を含む鉛直面に対して傾斜した状態で配置されている場合であっても、光源が点灯した状態にある灯具を前方から観察したときの見映えが損なわれないようにする。【解決手段】板状導光体３０が上記所要方向を含む鉛直面に対して後方側に傾斜しているのに対応させて、その後面３０ｂに形成された複数の各反射素子３０ｓを、灯具正面視において板状導光体３０の下端面３０ｆから上端面３０ｅへ向けて鉛直方向に対して右側に傾斜した方向（すなわち各反射素子３０ｓの両端部のうち後方側に位置する端部が前方側に位置する端部よりも光源２０寄りとなるように傾斜した方向）に延びるように形成する。これにより、筋状に光って見える光輝部Ｂが上記所要方向（水平方向）に略沿って延びるように形成されるようにする。【選択図】図５
2018092753.tif 000002
【特許請求の範囲】
【請求項１】
光源と、この光源から入射した光を所要方向へ導く板状導光体と、を備えた灯具において、
上記板状導光体は、該板状導光体内を導かれる光を該板状導光体の後面に形成された複数の反射素子により内面反射させて該板状導光体の前面から出射させるように構成されており、
上記複数の反射素子は、上記所要方向と交差する方向に延びるようにして上記所要方向に並んだ状態で配置されており、
上記板状導光体は、該板状導光体の前面および後面が上記所要方向を含む鉛直面に対して傾斜した状態で配置されており、
上記各反射素子は、該反射素子の両端部のうち後方側に位置する端部が前方側に位置する端部よりも上記光源寄りとなるように傾斜した方向に延びている、ことを特徴とする灯具。
【請求項２】
上記板状導光体は、上記所要方向と直交する断面内における傾斜角度が互いに異なる複数の領域を備えており、
上記各反射素子が延びる方向が、上記各領域毎に異なる方向に設定されている、ことを特徴とする請求項１記載の灯具。
【請求項３】
上記複数の領域として、上記所要方向を含む鉛直面に対して互いに逆方向に傾斜した２つの領域を備えている、ことを特徴とする請求項２記載の灯具。
【請求項４】
上記板状導光体は、上記光源からの出射光を該板状導光体における上記所要方向の一端面から入射させるように構成されており、
上記光源と上記板状導光体の一端面との間に、上記光源からの出射光を略平行光として上記板状導光体の一端面へ向けて出射させるように構成された光制御部材が配置されており、
上記板状導光体の一端面に、上記光制御部材からの出射光を上記板状導光体の幅方向に拡散する光として入射させる複数のレンズ素子が形成されている、ことを特徴とする請求項１〜３いずれか記載の灯具。
【発明の詳細な説明】
【技術分野】
【０００１】
本願発明は、板状導光体を備えた灯具に関するものである。
【背景技術】
【０００２】
従来より、光源から入射した光を所要方向へ導く導光体を備えた灯具が知られており、また、その導光体として板状導光体を備えたものも知られている。
【０００３】
「特許文献１」には、このような灯具における板状導光体として、該板状導光体内を導かれる光を、その後面に形成された複数の反射素子により内面反射させてその前面から出射させるように構成されたものが記載されている。
【０００４】
この「特許文献１」に記載された板状導光体においては、その前面および後面が上記所要方向（すなわち板状導光体に入射した光源からの光が導かれる方向）を含む鉛直面に沿って延びた状態で配置されており、また、各反射素子は上記所要方向と直交する方向に延びるように形成されている。
【先行技術文献】
【特許文献】
【０００５】
【特許文献１】特開２０１３−２０６８７５号公報
【発明の概要】
【発明が解決しようとする課題】
【０００６】
上記「特許文献１」に記載された灯具においては、光源が点灯した状態にある灯具を前方から観察したとき、板状導光体が上記所要方向に沿って筋状に光って見える。
【０００７】
しかしながら、板状導光体の構成として、その前面および後面が上記所要方向を含む鉛直面に対して傾斜した状態で配置された構成となっている場合において、各反射素子が上記所要方向と直交する方向に延びていると、光源が点灯した状態にある灯具を前方から観察したとき、板状導光体が上記所要方向に対して傾斜した方向に沿って筋状に光って見えてしまう。そしてこれにより灯具の見映えが損なわれてしまう。
【０００８】
本願発明は、このような事情に鑑みてなされたものであって、光源から入射した光を所要方向へ導く板状導光体を備えた灯具において、板状導光体の前面および後面が上記所要方向を含む鉛直面に対して傾斜した状態で配置されている場合であっても、光源が点灯した状態にある灯具を前方から観察したときの見映えが損なわれないようにすることができる灯具を提供することを目的とするものである。
【課題を解決するための手段】
【０００９】
本願発明は、板状導光体の構成に工夫を施すことにより、上記目的達成を図るようにしたものである。
【００１０】
すなわち、本願発明に係る灯具は、
光源と、この光源から入射した光を所要方向へ導く板状導光体と、を備えた灯具において、
上記板状導光体は、該板状導光体に導かれた上記光源からの光を該板状導光体の後面に形成された複数の反射素子により内面反射させて該板状導光体の前面から出射させるように構成されており、
上記複数の反射素子は、上記所要方向と交差する方向に延びるようにして上記所要方向に並んだ状態で配置されており、
上記板状導光体は、該板状導光体の前面および後面が上記所要方向を含む鉛直面に対して傾斜した状態で配置されており、
上記各反射素子は、該反射素子の両端部のうち後方側に位置する端部が前方側に位置する端部よりも上記光源寄りとなるように傾斜した方向に延びている、ことを特徴とするものである。
【００１１】
上記「光源」の種類は特に限定されるものではなく、例えば発光ダイオードやレーザダイオードあるいは光源バルブ等が採用可能である。
【００１２】
上記「板状導光体」は、板状に形成されていれば、その具体的な断面形状は特に限定されるものではない。すなわち、上記「板状導光体」には、平板状に形成されたものだけではなく、曲面に沿って延びるように形成されたものも含まれ、また、厚肉に形成されたものや、前面が曲面状に形成されるとともに後面が平面状に形成されたもの等も含まれる。
【００１３】
上記「所要方向」の具体的な方向は特に限定されるものではなく、例えば水平方向や上下方向等が採用可能である。
【００１４】
上記「複数の反射素子」は、上記所要方向に並んだ状態で配置されているが、その際、連続的に並んだ状態で配置されていてもよいし、間隔をおいて並んだ状態で配置されていてもよい。
【発明の効果】
【００１５】
本願発明に係る灯具においては、光源から入射した光を所要方向へ導く板状導光体が、該板状導光体内を導かれる光をその後面に形成された複数の反射素子により内面反射させてその前面から出射させるように構成されるとともに、複数の反射素子が、上記所要方向と交差する方向に延びるようにして上記所要方向に並んだ状態で配置されているが、板状導光体は、その前面および後面が上記所要方向を含む鉛直面に対して傾斜した状態で配置されており、また、各反射素子は、その両端部のうち後方側に位置する端部が前方側に位置する端部よりも光源寄りとなるように傾斜した方向に延びているので、次のような作用効果を得ることができる。
【００１６】
すなわち、板状導光体はその前面および後面が上記所要方向を含む鉛直面に対して傾斜した状態で配置されているが、各反射素子はその両端部のうち後方側に位置する端部が前方側に位置する端部よりも光源寄りとなるように傾斜した方向に延びているので、光源が点灯した状態にある灯具を前方から観察したとき、板状導光体が上記所要方向に略沿って筋状に光って見えるようにすることができる。そしてこれにより灯具の見映えが損なわれないようにすることができる。
【００１７】
このように本願発明によれば、光源から入射した光を所要方向へ導く板状導光体を備えた灯具において、板状導光体の前面および後面が上記所要方向を含む鉛直面に対して傾斜した状態で配置されている場合であっても、光源が点灯した状態にある灯具を前方から観察したときの見映えが損なわれないようにすることができる。
【００１８】
上記構成において、板状導光体として、上記所要方向と直交する断面内において上記所要方向を含む鉛直面に対する傾斜角度が互いに異なる複数の領域を備えた構成とすることも可能である。このような構成を採用した場合において、各反射素子が延びる方向が、各領域毎に異なる方向に設定された構成とすれば、光源が点灯した状態にある灯具を前方から観察したとき、板状導光体が各領域において上記所要方向に略沿って筋状に光って見えるようにすることができる。
【００１９】
その際、複数の領域として、上記所要方向を含む鉛直面に対して傾斜する方向が互いに逆の方向に設定された２つの領域を備えた構成とすることも可能である。このような構成を採用した場合においても、光源が点灯した状態にある灯具を前方から観察したとき、板状導光体が各領域において上記所要方向に略沿って筋状に光って見えるようにすることができる。
【００２０】
上記構成において、板状導光体として、光源からの出射光を該板状導光体における上記所要方向の一端面から入射させる構成とした上で、光源と板状導光体の一端面との間に、光源からの出射光を略平行光として板状導光体の一端面へ向けて出射させるように構成された光制御部材が配置されるとともに、板状導光体の一端面に、光制御部材からの出射光を板状導光体の幅方向に拡散する光として入射させる複数のレンズ素子が形成された構成とすれば、次のような作用効果を得ることができる。
【００２１】
すなわち、光源から光制御部材を介して入射した光が、板状導光体の幅方向に略均等に分布した光として板状導光体内を導かれるようにすることができるので、その前面からの出射光についても幅広い範囲から出射する光とすることができる。したがって、光源が点灯した状態にある灯具を前方から観察したとき、板状導光体が筋状ではなく帯状に光って見えるようにすることができ、これにより灯具の見映えを向上させることができる。
【図面の簡単な説明】
【００２２】
【図１】本願発明の一実施形態に係る灯具を示す正面図
【図２】図１のII−II線断面図
【図３】図２のIII−III線断面詳細図
【図４】（ａ）は上記灯具の主要構成要素を示す正面図、（ｂ）は従来例を示す（ａ）と同様の図
【図５】（ａ）は上記実施形態の作用を示す図４（ａ）と同様の図、（ｂ）は上記従来例の作用を示す図４（ｂ）と同様の図
【図６】（ａ１）は上記実施形態の第１変形例を示す図４（ａ）と同様の図、（ａ２）は（ａ１）のａ２−ａ２線断面図、（ｂ１）は上記実施形態の第２変形例を示す図４（ａ）と同様の図、（ｂ２）は（ｂ１）のｂ２−ｂ２線断面図
【図７】（ａ）は上記第１変形例の作用を示す図６（ａ１）と同様の図、（ｂ）は上記第２変形例の作用を示す図６（ｂ１）と同様の図
【図８】（ａ）は上記実施形態の第３変形例を示す図４（ａ）と同様の図、（ｂ）は上記第３変形例の作用を示す（ａ）と同様の図
【発明を実施するための形態】
【００２３】
以下、図面を用いて、本願発明の実施の形態について説明する。
【００２４】
図１は、本願発明の一実施形態に係る灯具１０を示す正面図である。また、図１のII−II線断面図であり、図３は、図２のIII−III線断面詳細図である。
【００２５】
これらの図に示すように、本実施形態に係る灯具１０は車両用灯具であって、車両の左前端部に設けられるクリアランスランプとして構成されている。
【００２６】
この灯具１０は、ランプボディ１２と素通し状の透光カバー１４とで形成される灯室内に、光源２０と、この光源２０から入射した光を導く板状導光体３０とが収容された構成となっている。
【００２７】
なお、灯具１０としては、これらの図において、Ｘで示す方向が「前方」（車両としても「前方」）であり、Ｙで示す方向が「左方向」（車両としても「左方向」）であるが灯具正面視では「右方向」）であり、Ｚで示す方向が「上方向」である。
【００２８】
板状導光体３０は、アクリル樹脂等からなる透明な合成樹脂成形品として構成されている。
【００２９】
この板状導光体３０は、縦長の矩形状断面を有しており、灯具正面視において車幅方向に水平に延びるように配置されている。
【００３０】
その際、この板状導光体３０は、その右端面３０ｃ（すなわち車幅方向内側の端面）から左端面３０ｄへ向けて後方側へ変位するように延びている。そして、この板状導光体３０は、その左端面３０ｄから入射した光源２０からの光を、その右端面３０ｃへ向けて該板状導光体３０が延びる所要方向（すなわち車幅方向内側へ向けてやや斜め前方へ水平に延びる方向）へ導くようになっている。
【００３１】
この板状導光体３０は、その前面３０ａおよび後面３０ｂが上記所要方向を含む鉛直面に対して後方側に傾斜した状態（すなわち板状導光体３０の上端面３０ｅが下端面３０ｆよりも後方側に変位した状態）で配置されている。
【００３２】
上記灯室内には、板状導光体３０を囲むようにして装飾用のエクステンション部材１６が配置されている。
【００３３】
図４（ａ）は、灯具１０の光源２０および板状導光体３０を取り出して示す正面図である。
【００３４】
図４（ａ）に示すように、光源２０は、白色発光ダイオードであって、その発光面２０ａを板状導光体３０の左端面３０ｄ（すなわち車幅方向外側の端面）へ向けた状態で配置されている。そして、この光源２０は、その発光面２０ａからの出射光を、板状導光体３０に対してその左端面３０ｄから入射させるようになっている。この光源２０は、図示しない基板に搭載された状態で、ランプボディ１２（あるいはエクステンション部材１６等）に支持されている。
【００３５】
板状導光体３０の後面３０ｂには、その左端面３０ｄから入射して該板状導光体３０内を導かれる光を、全反射により内面反射させるための複数の反射素子３０ｓが形成されている。
【００３６】
これら複数の反射素子３０ｓは、上記所要方向に略間隔で並んだ状態で、後面３０ｂの略全域にわたって配置されている。
【００３７】
各反射素子３０ｓは、楔状の断面形状で上記所要方向と交差する方向に延びる凹溝部として形成されている。その際、各反射素子３０ｓは、灯具正面視において板状導光体３０の下端面３０ｆから上端面３０ｅへ向けて鉛直方向に対して右側（すなわち車幅方向外側）に傾斜した方向に延びるように形成されている。
【００３８】
その際、各反射素子３０ｓの鉛直方向に対する側方傾斜角度θは、板状導光体３０の前面３０ａおよび後面３０ｂの上記所要方向を含む鉛直面に対する後方傾斜角度α（図２参照）に対して０．５〜１倍の範囲内の値（例えばα＝３０°である場合にθ＝２０°程度の値）に設定されている。
【００３９】
なお、図４（ｂ）は、本実施形態の板状導光体３０に対する従来例としての板状導光体３０´を光源２０と共に示す、図４（ａ）と同様の図である。
【００４０】
図４（ｂ）に示すように、従来例に係る板状導光体３０´の基本的な構成は、板状導光体３０と同様である。
【００４１】
すなわち、この板状導光体３０´は、右端面３０ｃ´から左端面３０ｄ´へ向けて後方側へ変位するようにして車幅方向に水平に延びており、その前面３０ａ´および後面３０ｂ´が上記所要方向を含む鉛直面に対して後方側に傾斜した状態で配置されている。
【００４２】
また、この板状導光体３０´の後面３０ｂ´には、左端面３０ｄ´から入射して該板状導光体３０´内を導かれる光を、全反射により内面反射させるための複数の反射素子３０ｓ´が形成されている。
【００４３】
これら複数の反射素子３０ｓ´は、上記所要方向に略間隔で並んだ状態で後面３０ｂ´の略全域にわたって配置されており、各反射素子３０ｓ´は楔状の断面形状で上記所要方向と交差する方向に延びる凹溝部として形成されている。
【００４４】
ただし、この板状導光体３０´においては、各反射素子３０ｓ´が灯具正面視において下端面３０ｆ´から上端面３０ｅ´へ向けて鉛直方向に延びるように形成されている。
【００４５】
図５（ａ）、（ｂ）は、光源２０が点灯したときの板状導光体３０、３０´の光り方を示す、図４（ａ）と同様の図である。
【００４６】
図５（ａ）に示すように、本実施形態の板状導光体３０においては、光源２０から出射して左端面３０ｄから入射した後、該板状導光体３０内を導かれる光が、複数の反射素子３０ｓによって内面反射して前面３０ａから出射することにより、板状導光体３０が筋状に光って見える。
【００４７】
一方、図５（ｂ）に示すように、従来の板状導光体３０´においても、光源２０から出射して左端面３０ｄ´から入射した後、該板状導光体３０´内を導かれる光が、複数の反射素子３０ｓ´によって内面反射して前面３０ａ´から出射することにより、板状導光体３０´が筋状に光って見える。
【００４８】
その際、従来の板状導光体３０´において筋状に光って見える光輝部Ｂ´は、左端面３０ｄ´の近傍から右端面３０ｃ´へ向けて斜め下方に傾斜して下端面３０ｆ´の近傍まで延びるとともに、上端面３０ｅ´の近傍から右端面３０ｃ´の近傍まで斜め下方に傾斜して延びている。
【００４９】
このように、筋状に光って見える光輝部Ｂ´が、２箇所において斜め下方に傾斜した状態で形成されるのは、板状導光体３０´の前面３０ａ´および後面３０ｂ´が上記所要方向を含む鉛直面に対して後方側に傾斜しているのに対して、各反射素子３０ｓ´が灯具正面視において鉛直方向に延びるように形成されていることによるものである。
【００５０】
なお、前面３０ａ´および後面３０ｂ´の傾斜角度によっては、筋状に光って見える光輝部Ｂ´が１箇所あるいは３箇所以上に形成される。
【００５１】
これに対し、図５（ａ）に示すように、本実施形態の板状導光体３０において筋状に光って見える光輝部Ｂは、左端面３０ｄの近傍から右端面３０ｃの近傍まで略水平方向に延びている。
【００５２】
このように、筋状に光って見える光輝部Ｂが略水平方向に延びるように形成されるのは、板状導光体３０の前面３０ａおよび後面３０ｂが上記所要方向を含む鉛直面に対して後方側に傾斜しているのに対応させるようにして、各反射素子３０ｓが灯具正面視において板状導光体３０の下端面３０ｆから上端面３０ｅへ向けて鉛直方向に対して右側に傾斜した方向（すなわち各反射素子３０ｓの両端部のうち後方側に位置する端部が前方側に位置する端部よりも光源２０寄りとなるように傾斜した方向）に延びていることによるものである。
【００５３】
次に、本実施形態の作用効果について説明する。
【００５４】
本実施形態に係る灯具１０においては、光源２０から入射した光を所要方向へ導く板状導光体３０が、該板状導光体３０内を導かれる光をその後面３０ｂに形成された複数の反射素子３０ｓにより内面反射させてその前面３０ａから出射させるように構成されるとともに、複数の反射素子３０ｓが、上記所要方向と交差する方向に延びるようにして上記所要方向に並んだ状態で配置されているが、板状導光体３０は、その前面３０ａおよび後面３０ｂが上記所要方向を含む鉛直面に対して傾斜した状態で配置されており、また、各反射素子３０ｓは、灯具正面視において板状導光体３０の下端面３０ｆから上端面３０ｅへ向けて鉛直方向に対して右側に傾斜した方向（すなわち各反射素子３０ｓの両端部のうち後方側に位置する端部が前方側に位置する端部よりも光源２０寄りとなるように傾斜した方向）に延びているので、次のような作用効果を得ることができる。
【００５５】
すなわち、板状導光体３０はその前面３０ａおよび後面３０ｂが上記所要方向を含む鉛直面に対して傾斜した状態で配置されているが、各反射素子３０ｓは灯具正面視において板状導光体３０の下端面３０ｆから上端面３０ｅへ向けて鉛直方向に対して右側に傾斜した方向に延びているので、光源２０が点灯した状態にある灯具１０を前方から観察したとき、板状導光体３０が上記所要方向に略沿って筋状に光って見えるようにすることができる。そしてこれにより灯具の見映えが損なわれないようにすることができる。
【００５６】
このように本実施形態によれば、光源２０から入射した光を所要方向へ導く板状導光体３０を備えた灯具１０において、板状導光体３０の前面３０ａおよび後面３０ｂが上記所要方向を含む鉛直面に対して傾斜した状態で配置されている場合であっても、光源２０が点灯した状態にある灯具１０を前方から観察したときの見映えが損なわれないようにすることができる。
【００５７】
上記実施形態においては、各反射素子３０ｓが凹溝部として形成されているものとして説明したが、凸条部として形成された構成とすることも可能である。
【００５８】
上記実施形態においては、板状導光体３０が車幅方向に水平に延びるように配置されているものとして説明したが、上下方向や斜め方向に延びるように配置された構成とすることも可能である。
【００５９】
上記実施形態においては、板状導光体３０の前面３０ａおよび後面３０ｂが上記所要方向を含む鉛直面に対して後方側に傾斜しており、各反射素子３０ｓが灯具正面視において右側に傾斜した方向に延びているものとして説明したが、これとは逆に、板状導光体３０の前面３０ａおよび後面３０ｂが上記所要方向を含む鉛直面に対して前方側に傾斜しており、各反射素子３０ｓが灯具正面視において左側に傾斜した方向に延びる構成とすることも可能である。
【００６０】
このような構成を採用した場合においても、板状導光体３０が上記所要方向に略沿って筋状に光って見えるようにすることができる。
【００６１】
上記実施形態においては、灯具１０が、車両の左前端部に設けられるクリアランスランプである場合について説明したが、クリアランスランプ以外の車両用灯具（例えば、デイタイムランニングランプ、テールランプ、ストップランプ、ターンシグナルランプ、ルームランプ等）であってもよく、さらには車両用灯具以外の灯具であってもよい。
【００６２】
次に、上記実施形態の変形例について説明する。
【００６３】
まず、上記実施形態の第１変形例について説明する。
【００６４】
図６（ａ１）は、本変形例に係る車両用灯具の主要構成要素を示す、図４（ａ）と同様の図である。また、図６（ａ２）は、図６（ａ１）のａ２−ａ２線断面図である。
【００６５】
これらの図に示すように、本変形例の基本的な構成は上記実施形態の場合と同様であるが、板状導光体１３０の構成および光源２０の個数が上記実施形態の場合と異なっている。
【００６６】
すなわち、本変形例の板状導光体１３０は、上記実施形態の板状導光体３０と同じ上記所要方向に延びており、前面１３０ａおよび後面１３０ｂが後方側に傾斜しているが、その傾斜角度が互いに異なる上部領域１３０Ａおよび下部領域１３０Ｂを備えている点で、上記実施形態の場合と異なっている。
【００６７】
その際、下部領域１３０Ｂの後方傾斜角度α１は、上記実施形態の板状導光体３０の後方傾斜角度αと同じ値に設定されており、上部領域１３０Ａの後方傾斜角度α２は、後方傾斜角度α１よりも大きい値に設定されている。
【００６８】
また、本変形例の板状導光体１３０においても、その後面１３０ｂには複数の反射素子１３０ｓが上記所要方向に略間隔で並んだ状態で後面１３０ｂの略全域にわたって配置されており、かつ、各反射素子１３０ｓは灯具正面視において鉛直方向に対して右側に傾斜している。その際、下部領域１３０Ｂに位置する部分の側方傾斜角度θ１は、上記実施形態の各反射素子３０ｓの側方傾斜角度θと同じ値に設定されており、上部領域１３０Ａに位置する部分の側方傾斜角度θ２は、側方傾斜角度θ１よりも大きい値に設定されている。
【００６９】
本変形例においては、２つの光源２０が、その発光面２０ａを板状導光体３０の左端面１３０ｄにおける上部領域１３０Ａおよび下部領域１３０Ｂの部分へ向けた状態で配置されている。
【００７０】
図７（ａ）は、光源２０が点灯したときの板状導光体１３０の光り方を示す、図６（ａ１）と同様の図である。
【００７１】
図７（ａ）に示すように、板状導光体１３０においては、各光源２０から出射して左端面１３０ｄから入射した後、該板状導光体１３０内の上部領域１３０Ａおよび下部領域１３０Ｂ内を導かれる光が複数の反射素子１３０ｓによって内面反射して前面１３０ａから出射することにより、板状導光体１３０が上部領域１３０Ａおよび下部領域１３０Ｂの各々において筋状に光って見える。
【００７２】
その際、下部領域１３０Ｂにおいて筋状に光って見える光輝部Ｂ１は、左端面１３０ｄの近傍から右端面１３０ｃの近傍まで略水平方向に延びており、また、上部領域１３０Ａにおいて筋状に光って見える光輝部Ｂ２は、左端面１３０ｄの近傍から右端面１３０ｃの近傍まで略水平方向に延びている。
【００７３】
このように、筋状に光って見える光輝部Ｂ１、Ｂ２がいずれも略水平方向に延びるように形成されるのは、各反射素子１３０ｓが下部領域１３０Ｂにおいてはその後方傾斜角度α１に対応した側方傾斜角度θ１で延びるとともに上部領域１３０Ａにおいてはその後方傾斜角度α２に対応した側方傾斜角度θ２で延びていることによるものである。
【００７４】
本変形例の構成を採用することにより、光源２０が点灯した状態にある灯具を前方から観察したとき、その板状導光体１３０における上部領域１３０Ａと下部領域１３０Ｂとで後方傾斜角度が異なっているにもかかわらず、上部領域１３０Ａおよび下部領域１３０Ｂの各々が上記所要方向に略沿って筋状に光って見えるようにすることができる。
【００７５】
次に、上記実施形態の第２変形例について説明する。
【００７６】
図６（ｂ１）は、本変形例に係る車両用灯具の主要構成要素を示す、図４（ａ）と同様の図である。また、図６（ｂ２）は、図６（ｂ１）のｂ２−ｂ２線断面図である。
【００７７】
これらの図に示すように、本変形例の基本的な構成は上記実施形態の場合と同様であるが、板状導光体２３０の構成および光源２０の個数が上記実施形態の場合と異なっている。
【００７８】
すなわち、本変形例の板状導光体２３０は、上記実施形態の板状導光体３０と同じ上記所要方向に延びており、前面２３０ａおよび後面２３０ｂが後方側に傾斜しているが、その傾斜角度が互いに逆になった上部領域２３０Ａおよび下部領域２３０Ｂを備えている点で、上記実施形態の場合と異なっている。
【００７９】
その際、上部領域２３０Ａは、その後方傾斜角度α３が上記実施形態の板状導光体３０の後方傾斜角度αと同じ値に設定されている。一方、下部領域２３０Ｂは、上部領域２３０Ａと上下対称の形状を有しており、したがってその後方傾斜角度α４は後方傾斜角度α３と同じ値に設定されている。
【００８０】
また、本変形例の板状導光体２３０においても、その後面２３０ｂには複数の反射素子２３０ｓが上記所要方向に略間隔で並んだ状態で後面２３０ｂの略全域にわたって配置されている。各反射素子１３０ｓは灯具正面視において、上部領域２３０Ａに位置する部分が鉛直方向に対して右側に傾斜しており、下部領域１３０Ｂに位置する部分が鉛直方向に対して左側に傾斜している。
【００８１】
その際、上部領域２３０Ａに位置する部分の側方傾斜角度θ３は、上記実施形態の各反射素子３０ｓの側方傾斜角度θと同じ値に設定されており、下部領域１３０Ｂに位置する部分の側方傾斜角度θ４は側方傾斜角度θ３と同じ値に設定されている。
【００８２】
本変形例においては、２つの光源２０が、その発光面２０ａを板状導光体３０の左端面３０ｄにおける上部領域２３０Ａおよび下部領域２３０Ｂの部分へ向けた状態で配置されている。
【００８３】
図７（ｂ）は、光源２０が点灯したときの板状導光体２３０の光り方を示す、図６（ｂ１）と同様の図である。
【００８４】
図７（ｂ）に示すように、板状導光体２３０においては、各光源２０から出射して左端面２３０ｄから入射した後、該板状導光体２３０内の上部領域２３０Ａおよび下部領域２３０Ｂ内を導かれる光が複数の反射素子２３０ｓによって内面反射して前面２３０ａから出射することにより、板状導光体２３０が上部領域２３０Ａおよび下部領域２３０Ｂの各々において筋状に光って見える。
【００８５】
その際、上部領域２３０Ａにおいて筋状に光って見える光輝部Ｂ３は、左端面２３０ｄの近傍から右端面２３０ｃの近傍まで略水平方向に延びており、また、下部領域２３０Ｂにおいて筋状に光って見える光輝部Ｂ４は、左端面２３０ｄの近傍から右端面２３０ｃの近傍まで略水平方向に延びている。
【００８６】
このように、筋状に光って見える光輝部Ｂ３、Ｂ４がいずれも略水平方向に延びるように形成されるのは、各反射素子２３０ｓが上部領域２３０Ａにおいてはその後方傾斜角度α３に対応した側方傾斜角度θ３で延びるとともに下部領域２３０Ｂにおいてはその後方傾斜角度α４に対応した側方傾斜角度θ４で延びていることによるものである。
【００８７】
本変形例の構成を採用することにより、光源２０が点灯した状態にある灯具を前方から観察したとき、その板状導光体２３０における上部領域２３０Ａおよび下部領域１３０Ｂの後方傾斜角度が上下逆になっているにもかかわらず、上部領域２３０Ａおよび下部領域２３０Ｂの各々が上記所要方向に略沿って筋状に光って見えるようにすることができる。
【００８８】
次に、上記実施形態の第３変形例について説明する。
【００８９】
図８（ａ）は、本変形例に係る車両用灯具の主要構成要素を示す、図４（ａ）と同様の図である。
【００９０】
図８（ａ）に示すように、本変形例の基本的な構成は上記実施形態の場合と同様であるが、板状導光体３３０の左端面３３０ｄの形状が上記実施形態の場合と異なっており、また、その左端面３３０ｄ（すなわち上記所要方向の一端面）と光源２０との間に、光源２０からの出射光を略平行光として板状導光体３３０の左端面３３０ｄへ向けて出射させるように構成された光制御部材３４０が配置されている点で上記実施形態の場合と異なっている。
【００９１】
光制御部材３４０は、アクリル樹脂等からなる透明な合成樹脂成形品として構成されている。
【００９２】
この光制御部材３４０は、板状導光体３０と同一平面上に配置された板状部材として構成されている。
【００９３】
この光制御部材３４０は、光源２０からの出射光を第１面３４０ａから入射させた後、その第２面３４０ｂから出射させるように構成されている。
【００９４】
光制御部材３４０の第１面３４０ａは、光源２０の発光中心からの光を平行光として入射させる中央領域３４０ａ１と、この中央領域３４０ａ１の両側において光源２０の発光中心からの光を両側へ離れる方向を向けて入射させた後、第１面３４０ａへ向かう平行光として全反射によって内面反射させる周辺領域３４０ａ２とを備えている。
【００９５】
一方、光制御部材３４０の第２面３４０ｂは、板状導光体３３０の左端面３３０ｄと略等間隔をおいて配置された平面で構成されており、第１面３４０ａの中央領域３４０ａ１から入射した略平行光およびその周辺領域３４０ａ２で反射した略平行光をそのまま略平行光として板状導光体３３０の左端面３３０ｄに入射させるようになっている。
【００９６】
板状導光体３３０の左端面３３０ｄには、複数のレンズ素子３３０ｇがその幅方向に並んで形成されている。各レンズ素子３３０ｇは、板状導光体３３０の板厚方向に延びる凸シリンドリカルレンズ状に形成されている。そして、これら複数のレンズ素子３３０ｇにより、光制御部材３４０からの出射光を板状導光体３３０の幅方向に拡散する光として板状導光体３３０に入射させるようになっている。
【００９７】
これにより、板状導光体３３０においては、光制御部材３４０から出射して左端面３３０ｄの全領域に到達した略平行光が、複数のレンズ素子３３０ｇにより幅方向に拡散する光として入射した後、該板状導光体３３０内を右端面２３０ｃへ向けて導かれるようになっている。
【００９８】
図８（ｂ）は、光源２０が点灯したときの板状導光体３３０の光り方を示す、同図（ａ）と同様の図である。
【００９９】
図８（ｂ）に示すように、板状導光体３３０においては、光源２０から光制御部材３４０を介して出射した光が、左端面３３０ｄから入射した後、該板状導光体３３０内を導かれる光が後面３３０ｂに形成された複数の反射素子３３０ｓによって内面反射して前面３３０ａから出射することにより、板状導光体３３０が略全幅にわたって略均一な光輝部Ｂ５として帯状に光って見える。
【０１００】
これは、板状導光体３３０の左端面２３０ｄの全領域に光制御部材３４０からの出射光が平行光として到達し、該左端面２３０ｄに形成された複数のレンズ素子３３０ｇにより幅方向に拡散する光として該板状導光体３３０内を導かれることによるものである。
【０１０１】
本変形例の構成を採用することにより、光源２０から光制御部材３４０を介して入射した光が、板状導光体３３０の幅方向に略均等に分布した光として板状導光体３３０内を導かれるようにすることができるので、その前面３３０ａからの出射光についても幅広い範囲から出射する光とすることができる。したがって、光源２０が点灯した状態にある灯具を前方から観察したとき、板状導光体３３０が筋状ではなく帯状に光って見えるようにすることができ、これにより灯具の見映えを向上させることができる。
【０１０２】
上記第３変形例においては、各レンズ素子３３０ｇが凸シリンドリカルレンズ状に形成されているものとして説明したが、凹シリンドリカルレンズ状等に形成された構成とすることも可能である。
【０１０３】
なお、上記実施形態およびその変形例において諸元として示した数値は一例にすぎず、これらを適宜異なる値に設定してもよいことはもちろんである。
【０１０４】
また、本願発明は、上記実施形態およびその変形例に記載された構成に限定されるものではなく、これ以外の種々の変更を加えた構成が採用可能である。
【符号の説明】
【０１０５】
１０  灯具
１２  ランプボディ
１４  透光カバー
１６  エクステンション部材
２０  光源
２０ａ  発光面
３０、１３０、２３０、３３０  板状導光体
３０ａ、１３０ａ、２３０ａ、３３０ａ  前面
３０ｂ、１３０ｂ、２３０ｂ、３３０ｂ  後面
３０ｃ、１３０ｃ、２３０ｃ、３３０ｃ  右端面
３０ｄ、１３０ｄ、２３０ｄ、３３０ｄ  左端面
３０ｅ  上端面
３０ｆ  下端面
３０ｓ、１３０ｓ、２３０ｓ、３３０ｓ  反射素子
１３０Ａ、２３０Ａ  上部領域
１３０Ｂ、２３０Ｂ  下部領域
３３０ｇ  レンズ素子
３４０  光制御部材
３４０ａ  第１面
３４０ａ１  中央領域
３４０ａ２  周辺領域
３４０ｂ  第２面
Ｂ、Ｂ１、Ｂ２、Ｂ３、Ｂ４、Ｂ５  光輝部
α、α１、α２、α３、α４  後方傾斜角度
θ、θ１、θ２、θ３、θ４  側方傾斜角度
【図１】
2018092753.tif 000003
【図２】
2018092753.tif 000004
【図３】
2018092753.tif 000005
【図４】
2018092753.tif 000006
【図５】
2018092753.tif 000007
【図６】
2018092753.tif 000008
【図７】
2018092753.tif 000009
【図８】
2018092753.tif 000010